(57)【要約】【課題】大きな記録ヘッドを搭載したインクジェット記録装置においても、記録媒体の状態に関わらず、該記録媒体の記録ヘッド側への紙浮きを防止すること。【解決手段】インクジェット記録手段により当該記録媒体にインクが付着される位置に、前記記録媒体のインク滴付着面側に接触するローラが対向するローラよりも前記記録媒体搬送方向の記録手段側に偏位して配置される複数の搬送ローラ対とで搬送し、前記搬送される記録媒体を前記インクジェット記録手段と対向する位置に支持するプラテンであって、記録媒体の搬送方向において上記インクジェット記録手段と上記ローラ対にて形成されるニップ部の間に配設されて、上記ローラ対から搬送された用紙の裏面に当接するように配設された突起部と、当該突起部より僅かに低く、且つ、インクジェット記録手段と対向して記録手段との間隔を一定に保持するプラテン上の平坦部を設ける。【選択図】図２
2006142777.tif 000002
【特許請求の範囲】
【請求項１】
インクジェット記録手段を用いて記録媒体にインク滴を付着させて記録を行うインクジェット記録装置において、
前記インクジェット記録手段により当該記録媒体にインクが付着される位置に、前記記録媒体のインク滴付着面側に接触するローラが対向するローラよりも前記記録媒体搬送方向の記録手段側に偏位して配置される複数の搬送ローラ対とで搬送し、前記搬送される記録媒体を前記インクジェット記録手段と対向する位置に支持するプラテンであって、記録媒体の搬送方向において上記インクジェット記録手段と上記ローラ対にて形成されるニップ部の間に配設されて、上記ローラ対から搬送された用紙の裏面に当接するように配設された突起部と、当該突起部より僅かに低く、且つ、インクジェット記録手段と対向して記録手段との間隔を一定に保持するプラテン上の平坦部を設けたことを特徴とするインクジェット記録装置。
【請求項２】
前記突起部は、搬送方向の上流側から下流側にかけた上向きの第１の斜面と、搬送方向の上流側から下流側にかけた下向きの第２の傾斜面とで形成され、前記突起部の頂点は上記搬送ローラ対によって形成される接線と交差して僅かに高く位置するように配設したことを特徴とする請求項１記載のインクジェット記録装置。
【請求項３】
前記突起部を形成する第１の傾斜面及び第２の傾斜面は、インクジェット記録手段と対向する位置には形成されず、インクジェット記録手段と対向する位置は、当該突起部より僅かに低く、且つ、インクジェット記録手段と対向して記録手段との間隔を一定に保持するプラテン平坦部を設けたことを特徴とする請求項１又は２記載のインクジェット記録装置。
【請求項４】
前記記録手段と対向する位置で記録媒体を支持するプラテンとを有するインクジェット記録装置において、
前記搬送方向の上流側から下流側にかけた上向きの第１の斜面と搬送方向の上流側から下流側にかけた下向きの第２の傾斜面とで形成された突起部と、インクジェット記録手段と対向して記録手段との間隔を一定に保持するプラテン平坦部とを、前記記録媒体搬送方向に沿って延びるリブ部で形成し、当該リブ部を搬送方向と直交する方向に複数配置したことを特徴とする請求項１〜３の何れかに記載の記録装置。
【請求項５】
前記記録手段と対向する位置で記録媒体を支持するプラテンとを有するインクジェット記録装置において、
前記記録媒体のサイズに関わらず該記録媒体の一方の端部が揃えられる搬送基準位置とを含み、前記記録媒体搬送方向に沿って延びる複数のリブ部のうちの１つが、定形サイズの前記記録媒体の他方の端部から１ｍｍ〜１０ｍｍ内側に位置するように配設されていることを特徴とする請求項４記載のインクジェット記録装置。
【請求項６】
前記記録手段と対向する平坦部の上流側に、前記複数対のローラを備えた搬送ローラユニットと、当該搬送ローラユニットが、少なくとも１対のローラにより前記記録媒体を挟持する挟持部と、非挟持部とを有し、各排紙ローラユニットの前記挟持部が、前記記録媒体搬送方向に沿って前記リブ部の略延長線上に位置していることを特徴とする請求項１〜５の何れかに記載のインクジェット記録装置。
【請求項７】
前記記録手段と対向する平坦部の下流側に、前記記録媒体を搬送する排紙ローラユニットが設けられており、排紙ローラユニットが、少なくとも１対のローラにより前記記録媒体を挟持する挟持部と、非挟持部とを有し、各排紙ローラユニットの前記挟持部が、前記記録媒体搬送方向に沿って前記リブ部の略延長線上に位置していることを特徴とする請求項１〜５の何れかに記載のインクジェット記録装置。
【発明の詳細な説明】
【技術分野】
【０００１】
本発明は、記録手段を用いて記録媒体にインクを付着することにより、文字、図形、パターン等の画像を記録するインクジェット記録装置に関する。
【背景技術】
【０００２】
従来、インクジェット方式の記録装置において、鮮明で高品位な印字結果を得るためには、様々な条件の記録媒体（元々の湿気や乾燥等によりカールを発生している記録媒体や、インクの付与によってコックリングを発生している記録媒体や）に対しても、プラテンから記録ヘッドの方向への紙浮きを防止しつつ、記録媒体の表面と記録ヘッドとの間隔（以下、「紙間」と言う）をできるだけ狭く設定する必要がある。
【０００３】
これらを実現する装置の第１の従来例としては、特許文献１等に記載されているように、記録媒体の搬送方向上流部をプラテン側に紙押さえ部材で押し付ける構成がある。又、第２の従来例としては、特許文献２，３等に記載されているように、プラテンに複数の小径の穴を設け、負圧発生手段を用いて発生させた吸引力により記録媒体をプラテンに密着させる構成が知られている。
【０００４】
【特許文献１】特開平４−０６９２６４号公報
【特許文献２】特開昭６１−０９５９６６号公報
【特許文献３】特開平３−０２９３５９号公報
【発明の開示】
【発明が解決しようとする課題】
【０００５】
しかしながら、上記第１の従来例のように、印字範囲の上流部を紙押さえ部材でプラテンに押し付ける構成では印字範囲が狭く、しかも、記録媒体をプラテン側に押し付けている位置（印字領域よりも搬送方向上流部）から、該記録媒体が次に押し付けられる位置（例えば排紙ローラ対）までの距離が短い場合には有効な手段であったが、印字ヘッドの印字幅が広く、次に押し付けられる位置までの距離が長い場合には、押し付けている位置から離れるほど、その効果が薄れ、用紙の反りによる浮きやコックリングが発生し易かった。特に、記録時間の短縮のために、記録ヘッドが大きくなってその記録範囲が広くなるほど、用紙をプラテンへ押し付ける効果は薄れ、用紙の自然な状態での反りが大きく影響して記録ヘッドに接触して画像を乱したり、ヘッドの目詰まりを発生することになるため、紙間を広めに設定しておく必要があった。
【０００６】
又、前記第２の従来例では、負圧発生手段を用いて記録媒体を吸引するため、装置が大掛かりになり、コストが高く、又、吸気／排気音が大きいという問題があった。更に、サイズの異なる記録媒体を用いる場合、それぞれのサイズに合わせて、記録媒体が覆わないプラテン上の小径の穴を封止する手段を新たに設けなければ、所望の吸引力を得ることができないという問題があった。
【０００７】
そこで、本発明の目的は、低コスト且つ簡単な構成で、大きな記録ヘッドを搭載したインクジェット記録装置においても、記録媒体の状態（記録前に生じている用紙反りやコックリングによる皺等）に関わらず、該記録媒体の記録ヘッド側への紙浮きを防止することにある。
【課題を解決するための手段】
【０００８】
上記目的を達成するため、本発明に係るインクジェット記録装置は、インクジェット記録手段を用いて記録媒体にインク滴を付着させて記録を行うインクジェット記録装置において、記録媒体をインクジェット記録手段と対向する位置に支持するプラテンと、インクジェット記録手段により記録媒体にインクが付着される位置に当該記録媒体を挟持して搬送する複数の搬送ローラ対と、プラテンに対して記録媒体の搬送方向に延在するとともに記録媒体の搬送方向と交差する方向に複数並設されて記録媒体の裏面側を支持するプラテンリブとを含み、プラテンリブの記録媒体の搬送方向上流側延長線上には、搬送ローラ対が位置し且つ搬送ローラ対は記録媒体をプラテンに押し付けるように配設されており、記録媒体が搬送ローラ対からプラテンリブ部へ突入する経路上に凸部突起を設けることを特徴とする。
【０００９】
この構成によれば、搬送ローラから記録媒体をプラテン部に押し付ける際に、搬送ローラ対から凸部突起が記録媒体の癖を矯正しつつ、記録媒体をプラテンに押し付けることにより用紙先端のカールを抑制することが可能となり、記録媒体を、裏面側を突起に当接させてプラテン上に浮き上がらないように保持できる。
【００１０】
特に、記録ヘッドが大きくなった場合に、記録媒体先端部が排紙ローラに侠持搬送されるまでの間の自由状態では、自然に生じる媒体の反りが大きく作用してしまう。記録媒体にこのような反りが生じても、搬送ローラから記録媒体をプラテン部に押し付ける際に、プラテン凸突起部が記録媒体のカールを矯正しつつ、記録媒体をプラテンに押し付けることにより用紙先端の反り浮きを抑制することが可能となり、記録媒体を、裏面側をプラテン平坦部に当接させて高精彩な画像を記録するように保持できる。
【００１１】
本発明において、搬送ローラ対を、記録媒体のインク滴付着面側に接触するローラが対向するローラよりも記録媒体搬送方向下流側に偏位して配置されるように構成すれば、記録媒体を上流突起に効果的に押し付けるように挟持搬送させることができ、搬送ローラ対と凸部突起とが記録媒体の反りを矯正しつつ、記録媒体をプラテンに押し付けることにより用紙先端のカールによる浮きをより下流まで作用させることができる。
【００１２】
本発明によるインクジェット記録装置は、記録領域よりも上流側又は下流側に配置され、複数対のローラを備えた搬送ローラユニットと、搬送ローラユニットの下流側に配置され、記録手段と対向する位置で記録媒体を支持するプラテンとを有するインクジェット記録装置において、搬送ローラユニットが、複数対のローラにより記録媒体を挟持する挟持部と、非挟持部とプラテンに設けられた、記録媒体搬送方向に沿って前記挟持部の延長線上に位置し、且つ、前記記録媒体搬送方向に沿って延びる複数のリブ部と、記録媒体のサイズに関わらず記録媒体の一方の端部が揃えられる搬送基準位置とを含み、複数のリブ部のうちの１つが定形サイズの記録媒体の他方の端部から１ｍｍ〜１０ｍｍ内側に位置するように配設されていることを特徴とする。
【００１３】
この構成によれば、記録媒体の搬送基準位置が設定された端部及び他方の端部とも、それぞれの端部の内側の端部近傍に位置するリブ上流突起部を支点とし、記録媒体先端部における自然反りによる浮き上がりを抑制することができる。
【００１４】
記録領域の下流側に、記録媒体を搬送する排紙ローラユニットが設けられており、排紙ローラユニットが、少なくとも一対のローラにより記録媒体を挟持する挟持部と、非挟持部とを有し、各排紙ローラユニットの挟持部が記録媒体搬送方向に沿ってリブの略延長線上に位置している構成としても良い。この場合、記録媒体の先端が垂れ下がっても、その記録媒体の後端が反動で浮き上がろうとする動作を抑制することができる。
【００１５】
排紙ローラユニットが２列配置されていても良い。そして、２つの排紙ローラユニットのうち、上流側の排紙ローラユニットよりも下流側の排紙ローラユニットの方がローラの個数が少ない構成とすると、構成が簡単になる。
【００１６】
排紙ローラユニットが、排紙ローラと、排紙ローラの回転中心に対し上流側にずれた位置に回転中心を有し、排紙ローラ及びプラテンに向かって記録媒体を押圧する従動ローラとを含むと、記録媒体が搬送ローラユニットから離れてもプラテンに向かって押圧する力を維持し得る。
【００１７】
排紙ローラが、記録媒体搬送方向に対し実質的に直交する方向に複数個に分割されていても良い。
【００１８】
本発明によるインクジェット記録装置は、記録媒体の紙浮きが小さいため、記録手段とプラテンの間隔（紙間）を小さくできる。そこで、本発明をインクを吐出して記録媒体に付着させるインクジェット記録方式の記録手段を有する記録装置に適用すると、ヘッドギャップを小さくして、吐出インクの付着位置精度の高い高品位の記録装置とすることができる。
【発明の効果】
【００１９】
本発明によれば、搬送ローラから記録媒体をプラテン部に押し付ける際に、搬送ローラ対からリブ突起部が記録媒体の反り癖を矯正しつつ、記録媒体をプラテンに押し付けることにより用紙先端のカールを抑制することが可能となる。従って、記録媒体を、裏面側を上流突起部に当接させることで記録ヘッド側に浮き上がらないように保持でき、少なくとも記録領域において記録媒体を平坦部にて平坦に保持しつつ、該プラテンへの該記録媒体の押し付け力を付与することができ、これにより、例えばカールしている記録媒体を記録ヘッド側に浮かなくすることができる。
【００２０】
又、上記突起部はプラテンリブにより構成可能であるので、コックリングに対応したリブ配置を行うことが可能であり、即ち記録媒体へのインクの付与による記録ヘッドとの接触をも防ぐことができるため、記録媒体の記録面と記録ヘッドとの間隔を狭く設定することができ、より高品位な記録結果を得ることができる。
【発明を実施するための最良の形態】
【００２１】
以下に本発明の実施の形態を添付図面に基づいて説明する。              ＜実施の形態１＞
図１に本発明の実施の形態１のインクジェット記録装置の記録領域周辺部の上面図が示されており、図２にその概略断面図が示されている。又、図３は実施の形態の記録装置の概略斜視図を、図４は詳細断面図を示している。
【００２２】
図１に示すように、本実施の形態のインクジェット記録装置は、記録媒体に向けてインク滴を吐出して付着させ画像などの記録を行うインクジェット記録方式の記録ヘッド１００を有している。
【００２３】
先ず、記録手段の走査機構について説明する。
【００２４】
この記録ヘッド１００は、キャリッジ２０２に着脱自在に搭載されている。キャリッジ２０２は、不図示のガイドレールに摺動自在に支持され、且つ、キャリッジ２０２から突出した不図示のキャリッジガイドがガイドレール上で回転可能に支持されている。従って、キャリッジモータ２０１によりタイミングベルト２０６を介して駆動されると、キャリッジ２０２は、ガイドシャフト２０３とガイドレール２０５に沿って走査する。このキャリッジ２０２の走査に同期して、キャリッジ２０２に搭載された記録ヘッド１００から記録媒体３００の所定位置にインク滴を吐出して画像等の記録が行われる。
【００２５】
次に、記録媒体３００の搬送機構について説明する。
【００２６】
搬送経路の記録ヘッド１００の上流側には、ＬＦモータ２０７により駆動される搬送ローラ２０８と、この搬送ローラ２０８に付勢ばね２１１によって圧接され従動回転する従動ローラ２０９とから成る搬送ローラ対２１０が配されている。従動ローラ２０９の回転中心は、搬送ローラ２０８の回転中心よりも搬送方向の下流側にずれた位置にある。従って、搬送ローラ対２１０は、記録媒体３００を斜め下向きに送り出し、プラテン２１９に押し付けるように搬送する。即ち、従動ローラ２０９がプラテン２１９に記録媒体３００を押し付ける押し付けローラの役割を担っている。本実施の形態では、各従動ローラ２０９をそれぞれ独立して付勢ばね２１１により付勢するように構成すれば、記録媒体３００の各部の変形量に応じて適切に押圧することができる。
【００２７】
プラテン２１９は、記録ヘッド１００に対向するように配置され、記録媒体３００の案内面には搬送方向に沿って延びたリブ部２１７が搬送方向に交差する方向に並んで複数形成されている。従動ローラ２０９は、このリブ部２１７に対応して複数設けられており、従動ローラ２０９の回転軸方向の中心位置とリブ部２１７の中心位置とが搬送方向に同一線上に位置するように配置されている。
【００２８】
リブ部２１７の記録媒体の搬送方向上流側延長線上には、前記記録媒体が搬送ローラ対からプラテンリブ部へ突入する経路上に上記搬送ローラ対によって形成されるニップ部よりも僅かに低く、且つ、上記搬送ローラ対から搬送された用紙の裏面に当接するように配設されたリブ上流突起部２１７Ａが設けられている。
【００２９】
前記リブ上流突起部２１７Ａは、搬送方向の上流側から下流側にかけた上向きの第１の斜面２１７ａと、搬送方向の上流側から下流側にかけた下向きの第２の傾斜面２１７ｃとで形成され、前記突起部の頂点２１７ｂは、上記搬送ローラ対によって形成される接線と交差して僅かに高く位置するように配設されている。
【００３０】
又、上記突起部２１７Ａより僅かに低く、記録ヘッド１００と対向したプラテン２１９上の平坦リブ部２１７ｄによって、記録媒体と記録ヘッド１００との間隔が一定に保持される。この突起部を２１７Ａを形成する第２の斜面部２１７ｃは、記録ヘッド１００の最上流に位置するノズル部１０１よりも上流側に位置し、この最上流ノズル１０１から記録ヘッド１００の最下流ノズル１０Ｎまでの間は少なくとも平坦リブ部２１７ｄにて構成されていることにより、記録媒体と記録ヘッド１００との間隔が一定に保持されるものである。
【００３１】
搬送経路の記録ヘッド１００の下流側には、ＬＦモータ２０７により駆動される排紙ローラ２１２と、排紙ローラ２１２に付勢ばね２１５によって圧接され従動回転する排紙用回転体である拍車２１３とから成る排紙ローラ対２１４が設けられている。この拍車２１３は、記録後の記録面に接触しても記録像を乱すことがないように記録媒体３００との接触面積を小さくしたものである。排紙ローラ対２１４は、記録媒体３００を挟持するニップ部分（挟持部分）と記録媒体に接触しない部分（非挟持部分）を搬送方向に交差する方向に交互に有しており、ニップ部分とリブ平坦部２１７ｄの頂点の位置とが搬送方向に沿って同一直線上に並ぶように配置されている。リブ部２１７の搬送方向上流には、必ずニップ部分が位置する。
【００３２】
次に、図５を用いて記録動作前後の記録媒体３００の挙動について、特に自然反りが発生し易いインク吸水層等を用いた紙の記録媒体である光沢紙を想定して説明する。図５は記録媒体に反りが発生した光沢紙を記録手段とプラテンとの間を通過する状態を示す断面図である。
【００３３】
記録媒体３００は、不図示の給紙機構により、搬送ローラ対２１０のニップ部分まで給紙され、搬送ローラ対２１０の回転によりプラテン２１９上へ搬送される。プラテン２１９へ搬送されると記録媒体３００の先端は、先ず、リブ上流突起部２１７Ａを形成する第１の斜面部２１７ａに沿って突起部を上り、突起部２１７Ａの頂点２１７ｂを越えると第２の斜面部２１７ｃに沿って記録媒体先端が搬送され、記録ヘッド１００に対向するプラテンリブ平坦部２１７ｄの記録位置へと搬送される。記録ヘッド１００は、キャリッジ２０２の走査により記録位置まで導かれ、記録媒体３００上にインクを付着する記録動作を行う。この記録動作中、搬送ローラ対２１０は記録媒体３００を所定のピッチで紙送りし、紙送りにより記録媒体３００が排紙ローラ対２１４に到達すると、排紙ローラ対２１４と搬送ローラ対２１０の両者で紙送りを行う。
【００３４】
記録媒体３００の後端が搬送ローラ対２１０から離れた後は、排紙ローラ対２１４のみにより紙送りが行われ、記録動作が終了すると、排紙ローラ対２１４は記録媒体３００を不図示の排紙トレイに排出する。
【００３５】
次に、主な溶剤として水を用いた記録用のインクが記録ヘッド１００により記録媒体３００に付着されると、記録媒体３００は水分を吸収することにより膨潤し、コックリングが発生する。
【００３６】
記録媒体３００は、従動ローラ２０９によりプラテン２１９に斜め上方から押し付けられて搬送される。即ち、従動ローラ２０９が、搬送ローラ２０８の回転中心よりも下流側にずれた位置に回転中心を有しているため、従動ローラ２０９による押圧がプラテンリブ上流突起部２１７Ａのみでは吸収されず記録媒体３００をプラテン２１９に押し付ける方向にも作用する。
【００３７】
このようにしてプラテン２１７Ａに斜めに突き当てられた記録媒体３００は、搬送ローラ対２１０との接触面とリブ上流突起部Ａとの接触面２１７ｃとの間で湾曲し、記録媒体をプラテン２１９に押し付ける付勢力が生じる。この付勢力は、リブ部２１７の中心と従動ローラ２０９の回転軸方向の中心位置とを記録媒体３００の搬送方向に沿って同一直線上に配置することで、最も効果的に得られるが、少なくとも、リブ部２１７の、記録媒体３００の搬送方向上流の領域内に必ず従動ローラ２０９の幅に対応する該従動ローラ２０９を配置することで、ほぼ同等の付勢力を得ることができる。
【００３８】
このように、プラテン２１９に押し付けられた記録媒体は、リブ第２斜面部２１７ｃにて反りが矯正されて、リブ平坦部２１７ｄ間では撓んで凹形状を成し、リブ平坦部２１７ｄとの接触面を頂点とする緩やかな波状に変形する。
【００３９】
この際、記録媒体３００のリブ平坦部２１７ｄとの接触面では、押し付け力が働いているため紙浮きは起こりにくい。一方、記録媒体３００がプラテン２１９と接触していない部分、即ちリブ２１６では、記録前の記録媒体３００の変形方向であるプラテン側に変形（コックリング）が生じる。このようにリブ平坦部２１７ｄ部間における凹状の撓みにより記録媒体３００の膨潤による変形を殆ど吸収できる。
【００４０】
又、リブ平坦部２１７ｄにより記録媒体３００は、搬送方向に垂直な方向の波状の変形を生じ易く、搬送方向の変形は起こり難い。このように、本実施の形態によれば、記録媒体３００の膨潤による変形は、プラテン２１９側への波状の変形量の増大により吸収され、記録ヘッド１００側への紙浮きを抑制できる。紙浮きを抑制することにより、記録媒体３００と記録ヘッド１００とが接触して画像の乱れが生じることを抑制できる。尚、排紙ローラ対２１４は、記録媒体３００のこの波状の変形の山、即ちリブ平坦部２１７ｄの頂点部分に位置した部分のみを挟持する構成としているので、記録媒体３００の変形を矯正して、上記のような記録媒体３００の波状の変形による効果を損なうことはない。
【００４１】
本実施の形態によれば、用紙先端のカールを抑制することと同時に、コックリングによる浮きを抑制できるので、記録ヘッド１００とプラテン２１９の間隔（ヘッドギャップ）を狭くすることが可能となる。特に、インクジェット記録方式の記録ヘッド１００を用いた場合には、ヘッドギャップを狭くすることにより、吐出インクの飛行距離が短くなり、インクの付着位置の精度の高い高品位の記録装置とすることができる。
【００４２】
＜実施の形態２＞
図６に本発明の実施の形態２の記録装置の記録領域周辺部の詳細断面図を示している。図６において、実施の形態１と同様の部分については、同一の符号を付し説明を省略する。
【００４３】
図６において、拍車２１３の回転中心は、排紙ローラ２０８の回転中心よりも搬送方向の上流側にずれた位置にある。従って、排紙ローラユニット２１４は、記録媒体を斜め上向きに引き込み、プラテン２１９に押し付けるように搬送する。即ち、拍車２１３がプラテン２１９に記録媒体を押し付ける役割を担っている。
【００４４】
プラテン２１９は、記録ヘッド１００に対向するように配置され、記録媒体の案内面には搬送方向に沿って延びたリブ部２１８が搬送方向に交差する方向に並んで複数形成されている。排紙ローラ２１２は、このリブ部２１８に対応して複数設けられており、拍車２１３の回転軸方向の中心位置とリブ部２１８の中心位置とが搬送方向に同一線上に位置するように配置されている。
【００４５】
リブ部２１８の記録媒体の搬送方向下流側延長線上には、前記記録媒体がプラテンから排紙ユニットへ突入する経路上に上記排紙ローラ対によって形成されるニップ部よりも僅かに低く、且つ、上記プラテンから排紙ローラ対へのから搬送された用紙の裏面に当接するように配設されたリブ上流突起部２１８Ａが設けられている。
【００４６】
前記リブ下流突起部２１８Ａは、搬送方向の上流側から下流側にかけた上向きの第１の斜面２１８ａと、搬送方向の上流側から下流側にかけた下向きの第２の傾斜面２１８ｃとで形成され、前記突起部の頂点２１８ｂは、上記搬送ローラ対によって形成される接線と交差して僅かに高く位置するように配設されている。
【００４７】
又、上記突起部２１８Ａより僅かに低く、記録ヘッド１００と対向したプラテン２１９上の平坦リブ部２１８ｄによって、記録媒体と記録ヘッド１００との間隔が一定に保持される。この突起部２１８Ａを形成する第１の斜面部２１８ｃは、記録ヘッド１００の最下流に位置するノズル部１０Ｎよりも下流側に位置し、この最上流ノズル１０Ｎから記録ヘッド１００の最上流ノズル１０１までの間は少なくとも平坦リブ部２１８ｄにて構成されていることにより、記録媒体と記録ヘッド１００との間隔が一定に保持されるものである。
【００４８】
排紙ローラ対２１４は、記録媒体を挟持するニップ部分（挟持部分）と記録媒体に接触しない部分（非挟持部分）を搬送方向に交差する方向に交互に有しており、ニップ部分とリブ２１８Ａの頂点の位置とが搬送方向に沿って同一直線上に並ぶように配置されている。リブ部２１８の搬送方向上流には、必ずニップ部分が位置する。
【００４９】
記録媒体は搬送ローラ対２１０によって、記録媒体を所定のピッチで紙送りし、紙送りにより記録媒体が排紙ローラ対２１４に到達すると、排紙ローラ対２１４と搬送ローラ対２１０の両者で紙送りを行う。
【００５０】
排紙ローラユニット２１４へ搬送されると、記録媒体の先端は、先ずリブ上流突起部２１８Ａを形成する第１の斜面部２１８ａに沿って突起部を上り、突起部２１８Ａの頂２１８ｂ点を越えると第２の斜面部２１８ｃに沿って記録媒体先端が搬送される。記録媒体の後端が搬送ローラ対２１０から離れた後は、排紙ローラ対２１４のみにより紙送りが行われ、記録動作が行われる。このとき、記録媒体は拍車２１３によってリブ突起部２１８Ａは押し付けられており、拍車２１３による押圧がプラテンリブ突起部２１８Ａのみでは吸収されず、記録媒体をプラテン２１９に押し付ける方向にも作用する。
【００５１】
このようにしてプラテン２１７Ａに斜めに突き当てられた記録媒体は、搬送ローラ対２１０との接触面とリブ上流突起部Ａとの接触面２１７ｃとの間で湾曲し、記録媒体をプラテン２１９に押し付ける付勢力が生じることで、記録媒体を排紙ローラユニットと凸部突起とが記録媒体の癖を矯正しつつ、記録媒体をプラテンに押し付けることにより用紙後端のカールによる浮きをより上流まで作用させることができる。
【００５２】
記録手段によって記録が終了すると、排紙ローラ対２１４は、記録媒体を不図示の排紙トレイに排出する。
【００５３】
而して、本実施の形態によれば、用紙後端のカールを抑制することができるので、記録ヘッド１００とプラテン２１９の間隔（紙間）を狭くすることが可能となる。
【図面の簡単な説明】
【００５４】
【図１】本発明の実施の形態１に係る記録装置のプラテン部分の周辺部の概略上面図である。
【図２】本発明の実施の形態１に係る記録装置の記録手段の近傍の断面図である。
【図３】本発明の実施の形態１に係る記録装置のプラテン部分の周辺の概略斜視図である。
【図４】本発明の実施の形態１に係る記録装置の記録手段の上流部近傍の詳細断面図である。
【図５】本発明の実施の形態１に係る記録装置での記録手段とプラテンとの間を記録媒体先端が通過する状態を示す断面図である。
【図６】本発明の実施の形態２に係る記録装置の記録手段の上流部近傍の詳細断面図である。
【符号の説明】
【００５５】
１００    記録ヘッド
１０１    最上流ノズル
１０Ｎ    最下流ノズル
２０１    キャリッジモータ
２０２    キャリッジ
２０３    ガイドシャフト
２０４    キャリッジガイド
２０５    ガイドレール
２０６    タイミングベルト
２０７    ＬＦモータ
２０８    ＬＦローラ
２０９    従動ローラ
２１０    搬送ローラユニット
２１１    付勢バネ
２１２    排紙ローラ
２１３    拍車
２１４    排紙ローラユニット
２１５    付勢バネ
２１６    プラテンリブ
２１７Ａ  プラテンリブ部
２１７ａ  上流第１斜面
２１７ｂ  突起頂点部
２１７ｃ  下流第２斜面
２１７ｄ  リブ平坦部
２１８Ａ  プラテンリブ部
２１８ａ  上流第１斜面
２１８ｂ  突起頂点部
２１８ｃ  下流第２斜面
２１８ｄ  リブ平坦部
２１９    プラテン
２２０    軸
２２１    拍車
２２２    排紙ローラ
【図１】
2006142777.tif 000003
【図２】
2006142777.tif 000004
【図３】
2006142777.tif 000005
【図４】
2006142777.tif 000006
【図５】
2006142777.tif 000007
【図６】
2006142777.tif 000008